(57)【要約】      （修正有）【課題】背凭れのリクライニング角度に合わせて最適な座面角度を実現可能な座席装置を提供する。【解決手段】座席装置は、座部と、支持部と、背凭れ部と、連動機構５０と、角度可変部６０とを具備する。支持部は、座部を前後に変位可能に支持する。背凭れ部は、座部の後端に配置され、リクライニング可能に構成される。連動機構５０は、座部と背凭れ部との間に設けられ、背凭れ部が後方へリクライニングすると座部が後方へ変位し、背凭れ部が起きると座部が前方へ変位するように、背凭れ部と座部とを連動させる。角度可変部６０は、座部と支持部との間に設けられ、背凭れ部の後方へのリクライニング時に座部の前端が上がるように座部後方へ傾斜させつつ、背凭れ部のリクライニング角度の変化に対して座部の角度の変化率を変化させる。【選択図】図５
2015020517.tif 000002
【特許請求の範囲】
【請求項１】
座部と、
前記座部を前後に変位可能に支持する支持部と、
前記座部の後端に配置されリクライニング可能な背凭れ部と、
前記座部と前記背凭れ部との間に設けられ、前記背凭れ部が後方へリクライニングすると前記座部が後方へ変位し前記背凭れ部が起きると前記座部が前方へ変位するように前記背凭れ部と前記座部とを連動させる連動機構と、
前記座部と前記支持部との間に設けられ、前記背凭れ部の後方へのリクライニング時に前記座部の前端が上がるように前記座部を後方へ傾斜させつつ、前記背凭れ部のリクライニング角度の変化に対して前記座部の角度の変化率を変化させる角度可変部と
を具備する座席装置。
【請求項２】
請求項１に記載の座席装置であって、
前記角度可変部は、
前記座部の後端に設けられ、前記背凭れ部の後方へのリクライニング時に前記座部の後端を下方へ変位させる第１の可変機構と、
前記第１の可変機構よりも前記座部の前端側に設けられ、前記背凭れ部の後方へのリクライニング時に前記座部の上端を上方へ変位させる第２の可変機構とを有し、
前記第２の可変機構は、前記背凭れ部の後方へのリクライニング角度が大きくなるに従って前記座部の上方への変位の変化率を増加させる
座席装置。
【請求項３】
請求項２に記載の座席装置であって、
前記第２の可変機構は、
前記座部に固定され、前記座部の前後方向の中心側から前記座部の前方に向かって下り傾斜した第１の傾斜面を有する第１のブロックと、
前記支持部に固定され、前記座部の幅方向を軸方向とする、前記第１の傾斜面に当接可能な第１の周面部を有し、前記第１の周面部の曲率が前記座部の前方側から前記中心側に向かって大きくなるように形成されたガイド部材と、を有する
座席装置。
【請求項４】
請求項３に記載の座席装置であって、
前記第１のブロックと前記ガイド部材とは、相互に異なる樹脂材料で構成される
座席装置。
【請求項５】
請求項２又は３に記載の座席装置であって、
前記第１の可変機構は、
前記座部に固定され、前記座部の前後方向の中心側から前記座部の後方に向かって下り傾斜した第２の傾斜面を有する第２のブロックと、
前記支持部に固定され、前記座部の幅方向を軸方向とする、前記第２の傾斜面に当接可能な第２の周面部を有するローラ部材と、を有する
座席装置。
【発明の詳細な説明】
【技術分野】
【０００１】
本発明は、リクライニング機構を有する座席装置に関する。
【背景技術】
【０００２】
従来、鉄道車両等の座席装置には、快適な座り心地を提供するためのリクライニング機構を備えたものがある。このような座席装置では、着座者が背中で背凭れを後方に押すことにより、支点に保持されていた背凭れを後方にリクライニング可能としたものが一般的である。さらに、座部を前後にスライドさせるスライド機構が付加されたものもある。
【０００３】
一般に、このような座席装置は、背凭れと座部とがリンク等で連結されており、リクラインするときの背凭れの動きに連動して座部が前後および上下に動くようになっている。このようなリクライニング機構により、座席装置は、着座者の着座姿勢を変えることを可能としており、これによって着座者に身体の休息感やリラックス感を提供している。
【０００４】
例えば下記特許文献１には、背凭れの後倒に連動して座部が後方に変位するリクライニング機構付き椅子が記載されている。この椅子は、座部が後方へ変位するとき、後端が下がり、かつ前端が上がるように座部が変位するように構成されている。
【先行技術文献】
【特許文献】
【０００５】
【特許文献１】特開２０１０−８８８１４号公報
【発明の概要】
【発明が解決しようとする課題】
【０００６】
しかしながら背凭れのリクライニング角度と座面の角度は別扱いとなっており、従来の座席装置は、同時に動くとしてもリクライニング角度に対して適切な座面角度設定になっているとはいえなかった。例えば、フルリクライニングに合わせて座面角度を大きく設定しておくと、リクライニングしていないとき（アップライト状態）に着座者の体の開き角度が小さくなり、窮屈感を与えてしまう。
【０００７】
以上のような事情に鑑み、本発明の目的は、背凭れのリクライニング角度に合わせて最適な座面角度を実現することができる座席装置を提供することにある。
【課題を解決するための手段】
【０００８】
上記目的を達成するため、本発明の一形態に係る座席装置は、座部と、支持部と、背凭れ部と、連動機構と、角度可変部とを具備する。
上記支持部は、上記座部を前後に変位可能に支持する。
上記背凭れ部は、上記座部の後端に配置され、リクライニング可能に構成される。
上記連動機構は、上記座部と上記背凭れ部との間に設けられる。上記連動機構は、上記背凭れ部が後方へリクライニングすると上記座部が後方へ変位し、上記背凭れ部が起きると上記座部が前方へ変位するように、上記背凭れ部と上記座部とを連動させる。
上記角度可変部は、上記座部と上記支持部との間に設けられる。上記角度可変部は、上記背凭れ部の後方へのリクライニング時に上記座部の前端が上がるように上記座部を後方へ傾斜させつつ、上記背凭れ部のリクライニング角度の変化に対して上記座部の角度の変化率を変化させる。
【図面の簡単な説明】
【０００９】
【図１】本発明の一実施形態に係る座席装置を含むシートユニットを示す斜視図である。
【図２】上記座席装置の側面図である。
【図３】上記座席装置の内部構造を示す部分破断斜視図である。
【図４】上記座席装置の座部を構成する座枠の平面図である。
【図５】上記座席装置の要部の内部構造を示す側面図である。
【図６】上記座席装置の典型的な動作を説明する要部の側面図である。
【発明を実施するための形態】
【００１０】
本発明の一実施形態に係る座席装置は、座部と、支持部と、背凭れ部と、連動機構と、角度可変部とを具備する。
上記支持部は、上記座部を前後に変位可能に支持する。
上記背凭れ部は、上記座部の後端に配置され、リクライニング可能に構成される。
上記連動機構は、上記座部と上記背凭れ部との間に設けられる。上記連動機構は、上記背凭れ部が後方へリクライニングすると上記座部が後方へ変位し、上記背凭れ部が起きると上記座部が前方へ変位するように、上記背凭れ部と上記座部とを連動させる。
上記角度可変部は、上記座部と上記支持部との間に設けられる。上記角度可変部は、上記背凭れ部の後方へのリクライニング時に上記座部の前端が上がるように上記座部を後方へ傾斜させつつ、上記背凭れ部のリクライニング角度の変化に対して上記座部の角度の変化率を変化させる。
【００１１】
上記座席装置は、背凭れ部のリクライニング角度の変化に対して座部の角度の変化率を変化させることが可能な角度可変部を備えているため、リクライニング角度に適切な角度に座面を傾斜させることができる。
【００１２】
上記角度可変部は、第１の可変機構と、第２の可変機構とを有してもよい。
上記第１の可変機構は、上記座部の後端に設けられ、上記背凭れ部の後方へのリクライニング時に上記座部の後端を下方へ変位させる。
上記第２の可変機構は、上記第１の可変機構よりも上記座部の前端側に設けられ、上記背凭れ部の後方へのリクライニング時に上記座部の上端を上方へ変位させる。上記第２の可変機構は、上記背凭れ部の後方へのリクライニング角度が大きくなるに従って上記座部の上方への変位の変化率を増加させる。
上記構成により、リクライニング角度が大きくなるほど座面角度が大きくなるので、リクライニング角度に追従した適切な座面角度設定が可能となる。またアップライト状態では座面角度を小さくしておくことができるため、窮屈感がなく、これにより着座時の快適性を向上させることができる。
【００１３】
上記第２の可変機構は、第１のブロックと、ガイド部材とを有してもよい。
上記第１のブロックは、上記座部に固定され、上記座部の前後方向の中心側から上記座部の前方に向かって下り傾斜した第１の傾斜面を有する。
上記ガイド部材は、上記支持部に固定され、上記座部の幅方向を軸方向とする、上記第１の傾斜面に当接可能な第１の周面部を有する。上記ガイド部材は、上記第１の周面部の曲率が上記座部の前方側から前記中心側に向かって大きくなるように形成される。
これにより、リクライニング角度が大きくなるほど座面角度を大きく傾斜させることができる。また上記座面角度をガイド部材の周面形状でコントロールすることができ、適正な座面角度を簡素な構造で実現することができる。
【００１４】
上記第１のブロックと上記ガイド部材とは、相互に異なる樹脂材料で構成されてもよい。これにより第１の傾斜面と第１の周面部との摺動時における異音の発生を防止することができる。
【００１５】
上記第１の可変機構は、第２のブロックと、ローラ部材とを有してもよい。
上記第２のブロックは、上記座部に固定され、上記座部の前後方向の中心側から上記座部の後方に向かって下り傾斜した第２の傾斜面を有する。
上記ローラ部材は、上記支持部に固定され、上記座部の幅方向を軸方向とする、上記第２の傾斜面に当接可能な第２の周面部を有する。
【００１６】
以下、図面を参照しながら、本発明の実施形態を説明する。
【００１７】
図１は、本発明の一実施形態に係る座席装置を含むシートユニットを示す斜視図である。図において、Ｘ軸及びＹ軸は相互に直交する水平方向を示し、Ｚ軸は高さ方向を示している。以下、シートユニット１の構成について説明する。
【００１８】
［シートユニット］
本実施形態のシートユニット１は、鉄道車両（例えば新幹線）用の三人掛けシートで構成されており、典型的には、車内の両側にそれぞれ車両の長手方向（Ｘ軸方向）に複数列設されている。シートユニット１は、図示しない足踏み式のペダルを操作することによって、車両の床面に回動可能に構成される。
【００１９】
シートユニット１は、Ｙ軸方向に並べられた３つの座席装置１Ａ，１Ｂ，１Ｃを含む。座席装置１Ａ〜１Ｃは、座部１１と、座部１１の後端に配置された背凭れ部１２とをそれぞれ有する。座部１１及び背凭れ部１２は、座席装置１Ａ〜１Ｃごとに個別化された座クッション１１ａ，１１ｂ，１１ｃ及び背当て１２ａ，１２ｂ，１２ｃをそれぞれ有する（図中、座クッション１１ｃ及び背当て１２ｃは、それぞれ仮想線で示される）。
【００２０】
シートユニット１は、アームレスト２１，２２，２３をさらに有する。一方のアームレスト２１は座席装置１Ａに設けられ、他方のアームレスト２２は座席装置１Ｃに設けられる。アームレスト２３は、座席装置１Ａと座席装置１Ｂとの間、及び、座席装置１Ｂと座席装置１Ｃとの間にそれぞれ設けられる。アームレスト２１〜２３にはそれぞれ、座席装置１Ａ〜１Ｃの背凭れ部１２を各々リクライニングさせるための操作部（図示略）が設けられている。
【００２１】
［座席装置］
図２は座席装置１Ｃの側面図、図３は座席装置１Ｃの内部構造を示す部分破断斜視図である。以下、座席装置１Ｃを例に挙げて本実施形態の座席装置を説明するが、これ以外の座席装置１Ａ，１Ｂについても座席装置１Ｃと同様に構成されるものとする。
【００２２】
（支持部）
座席装置１Ｃは、支持部１００を有する。支持部１００は、座席装置１Ａ〜１Ｃに共通に構成される。
【００２３】
支持部１００は、図３に示すように、座部１１の座枠３０及び背凭れ部１２の背フレーム４０を支持する台枠１１０を有する。台枠１１０は、Ｙ軸方向に各々平行な後側シャフト１１１及び前側シャフト１１２と、これらを連結する連結フレーム１１３等を有するフレーム体で構成される。
【００２４】
座枠３０は、座クッション１１ｃの底部に固定され、台枠１１０上で前後方向に変位可能に支持される。
【００２５】
図４は、座枠３０の平面図である。座枠３０は、フレーム体３１と、補助部材３２と、複数の波型ばね３３とを有し、各座席装置１Ａ〜１Ｃに個別に設けられる。
【００２６】
フレーム体３１は、略Ｕ字状に折り曲げられた金属製の角パイプ材で構成され、その両アーム部３１ａ，３１ｂの端部は連動機構５０を介して背凭れ部１２に接続されている。補助部材３２は、Ｙ軸方向に延びる金属製の直線的な角パイプ材で構成され、両アーム部３１ａ，３１ｂ間を相互に連結する。複数の波型ばね３３は、フレーム体３１の中間部３１ｃと補助部材３２とに各々設けられた複数のフック部材３４を介して、中間部３１ｃと補助部材３２との間に並列的に架け渡される。相互に隣接する波型ばね３３の間には、隣接する波型ばね３３が着座荷重により連動するように固定具３５が適宜の位置に設けられている。
【００２７】
背フレーム４０は、アームレスト２２に結合される回動軸Ｓを有し、その回動軸Ｓのまわりに回動して後方へリクライニングすることが可能に構成される。アームレスト２２は、台枠１１０の後側シャフト１１１及び連結フレーム１１３を介して支持部１００に固定される。
【００２８】
（連動機構）
座席装置１Ｃは、座部１１と背凭れ部１２との間に設けられた連動機構５０を有する。連動機構５０は、背凭れ部１２が後方へリクライニングすると座部１１が後方へ変位し、背凭れ部１２が起きると座部１１が前方へ変位するように、背凭れ部１２と座部１１とを連動させる。連動機構５０は、各座席装置１Ａ〜１Ｃに個別に設けられる。
【００２９】
図５は、座席装置１Ｃの要部の内部構造を示す側面図である。連動機構５０は、背凭れ部１２の背フレーム４０と座部１１の座枠３０との間を相互に連結する一対のリンク部材５１を有する。一対のリンク部材５１は、背フレーム４０の回動中心（回動軸Ｓ）よりも下方に延びる一対のアーム部４１と、フレーム体３１の両アーム部３１ａ，３１ｂの端部との間にピンＰ１，Ｐ２を介してそれぞれ連結されている。
【００３０】
各リンク部材５１は、一端部にピンＰ１が挿通される長孔５１１を有し、他端部にピンＰ２が挿通される長孔５１２を有し、中央部にピンＰ３が挿通される支持孔５１３を有する。長孔５１１，５１２は、リンク部材５１の各端部から支持孔５１３に向かって延び、ピンＰ１，Ｐ２は、これら長孔５１１，５１２の長軸方向に移動可能に構成される。
【００３１】
連動機構５０は、一対のリンク部材５１を台枠１１０にそれぞれ固定する一対の固定部材５２をさらに有する。これら固定部材５２の一端は、リンク部材５１各々の支持孔５１３にピンＰ３を介して回動可能に連結され、固定部材５２の他端は台枠１１０の後側シャフト１１１に固定される。
【００３２】
以上のように構成される連動機構５０においては、背凭れ部１２（背フレーム４０）が回動軸Ｓを支点として後方（同矢印Ａ方向）へリクライニングすると、ピンＰ１に押されてリンク部材５１がピンＰ３を支点として前方（図５において矢印Ｂ方向）へ回動する。これにより、座部１１（座枠３０）がピンＰ２に押されて後方（同矢印Ｃ方向）へ変位する。一方、背凭れ部１２（背フレーム４０）がリクライニング状態から図５に示すアップライト状態へ起き上げられるときは、上記とは逆に、座部１１（座枠３０）は前方へ変位する。
【００３３】
（角度可変部）
座席装置１Ｃは、座部１１と支持部１００との間に設けられた角度可変部６０をさらに有する。角度可変部６０は、背凭れ部１２の後方へのリクライニング時に座部１１の前端が上がるように座部１１を後方へ傾斜させつつ、背凭れ部１２のリクライニング角度の変化に対して座部１１の角度の変化率を変化させる。角度可変部６０は、各座席装置１Ａ〜１Ｃに個別に設けられる。
【００３４】
図５に示すように、角度可変部６０は、第１の可変機構６１と、第２の可変機構６２とを有する。
【００３５】
第１の可変機構６１は、座部１１（座枠３０）の後端に設けられ、背凭れ部１２（背フレーム４０）の後方へのリクライニング時に座部１１の後端を下方へ変位させる。本実施形態において第１の可変機構６１は、座枠３０の後端に固定された一対の当接ブロック６１１（第２のブロック）と、支持部１００の後側シャフト１１１に固定された一対のローラ部材６１２とを有する。
【００３６】
一対の当接ブロック６１１は、座枠３０の両アーム部３１ａ，３１ｂの端部近傍の下面にそれぞれ複数のネジ部材を介して固定されている。当接ブロック６１１は、座枠３０の前後方向（Ｘ軸方向）の中心側から座枠３０の後方に向かって下り傾斜した傾斜面６１１ａ（第２の傾斜面）と、座枠３０の前後方向に沿って形成された平坦面６１１ｂとを有する。傾斜面６１１ａ及び平坦面６１１ｂは、当接ブロック６１１の下端部に形成され、平坦面６１１ｂは、傾斜面６１１ａに連続するように傾斜面６１１ａよりも前方側に設けられる。
【００３７】
傾斜面６１１ａは、直線的なテーパ面であってもよいし、円弧状の曲面であってもよいし、これらの複合形状であってもよい。また傾斜面６１１ａの傾斜角は特に限定されず、座部１１の後方への変位量に対する下方への変位量（下り勾配）に応じて適宜設定することが可能である。
【００３８】
一対のローラ部材６１２は、当接ブロック６１１の下端部に各々対向するように、支持ビーム６１３を介してそれぞれ後側シャフト１１１に支持される。ローラ部材６１２は、座枠３０の幅方向（Ｙ軸方向）に延びる軸部６１４を有し、その軸部６１４が支持ビーム６１３に支持されることで、当接ブロック６１１に対して回転可能に構成される。
【００３９】
ローラ部材６１２は、傾斜面６１１ａに当接可能な曲率一定の周面部６１２ａ（第２の周面部）を有する。周面部６１２ａは、座部１１の幅方向（Ｙ軸方向）を軸方向とし、前後方向に変位する座部１１を当接ブロック６１１の傾斜面６１１ａを介して支持する。これにより座部１１の後方への変位の際、座枠３０下端の下方への変位が可能となる。座枠３０下端の下り勾配は、傾斜面６１１ａの傾斜角度とローラ部材６１２の周面部６１２ａの曲率で決定される。当接ブロック６１１の平坦面６１１ｂは、座部１１の後方への最大変位時にローラ部材６１２と当接しないように形成されるが、これに限られず、ローラ部材６１２と当接可能に形成されてもよい。
【００４０】
当接ブロック６１１は、ポリアミド系の樹脂材料で構成されるが、これに限られず、適宜の合成樹脂材料あるいは金属材料が用いられてもよい。ローラ部材６１２の構成材料も特に限定されず、本実施形態では適宜の合成樹脂材料が用いられる。
【００４１】
一方、第２の可変機構６２は、第１の可変機構６１よりも座部１１（座枠３０）の前端側に設けられ、背凭れ部１２（背フレーム４０）の後方へのリクライニング時に座部１１の上端を上方へ変位させる。第２の可変機構６２は、背凭れ部１２の後方へのリクライニング角度が大きくなるに従って座部１１の上方への変位の変化率を増加させる。
【００４２】
上記構成により、リクライニング角度が大きくなるほど座面角度が大きくなるので、リクライニング角度に追従した適切な座面角度設定が可能となる。またアップライト状態では座面角度を小さくしておくことができるため、窮屈感がなく、これにより着座時の快適性を向上させることができる。
【００４３】
本実施形態において第２の可変機構６２は、座枠３０の前端側に固定された一対の当接ブロック６２１（第１のブロック）と、支持部１００の前側シャフト１１２に固定された一対のガイド部材６２２とを有する。
【００４４】
一対の当接ブロック６２１は、座枠３０の両アーム部３１ａ，３１ｂの中間部３１ｃ側の下面にそれぞれ複数のネジ部材を介して固定されている。当接ブロック６２１は、座枠３０の前後方向（Ｘ軸方向）の中心側から座枠３０の前方に向かって下り傾斜した傾斜面６２１ａ（第１の傾斜面）を有する。傾斜面６２１ａは、当接ブロック６２１の下端部に形成される。
【００４５】
傾斜面６２１ａは、直線的なテーパ面であってもよいし、円弧状の曲面であってもよいし、これらの複合形状であってもよい。また傾斜面６２１ａの傾斜角は特に限定されず、座部１１の後方への変位量に対する上方への変位量（上り勾配）に応じて適宜設定することが可能である。
【００４６】
一対のガイド部材６２２は、当接ブロック６２１の下端部に各々対向するように、前側シャフト１１２に固定される。本実施形態では、一対のガイド部材６２２は、前側シャフト１１２にリベット固定される。ガイド部材６２２は、座部１１の幅方向を軸方向とする、傾斜面６２１ａに当接可能な周面部６２２ａ（第１の周面部）を有する。ガイド部材６２２は、周面部６２２ａの曲率が座部１１の前方側から上記中心側に向かって大きくなるように形成され、例えば図５に示すように部分円筒を径方向に所定量だけ押し潰してやや扁平化させた形状に形成される。
【００４７】
本実施形態において一対のガイド部材６２２は、前側シャフト１１２の前方側から後方側に向かって厚みが漸次大きくなるような部分円筒形状に形成される。また各ガイド部材６２２の内周側の縁部には、当接ブロック６２１の位置ズレを防止するためのフランジ部６２２ｂがそれぞれ形成されている。
【００４８】
周面部６１２ａは、前後方向に変位する座部１１を当接ブロック６２１の傾斜面６２１ａを介して支持する。これにより座部１１の後方への変位の際に、座枠３０前端の上方への変位が可能となる。座枠３０前端の上り勾配は、傾斜面６２１ａの傾斜角度とガイド部材６２２の周面部６２２ａの曲率で決定される。
【００４９】
当接ブロック６２１は、ポリアミド系の樹脂材料で構成されるが、これに限られず、適宜の合成樹脂材料あるいは金属材料が用いられてもよい。一方、ガイド部材６２２の構成材料もまた特に限定されないが、当接ブロック６２１と異なる材料が用いられることで、当接ブロック６２１の傾斜面６２１ａとガイド部材６２２の周面部６２２ａとの摺動時における異音の発生を抑制することができる。
【００５０】
ガイド部材６２２の構成材料には、当接ブロック６２１の構成材料（ポリアミド系樹脂）よりも摺動性及び耐摩耗性に優れた樹脂材料、例えばポリアセタール（ＰＯＭ）を用いることができる。これにより前側シャフト１１２にリベット固定されたガイド部材６２２の耐久性を高めることができるとともに、座枠３０にネジ固定された比較的着脱の容易な当接ブロック６２１を交換対象部材とすることができるため、作業性の低下を抑えることができる。
【００５１】
［座席装置の動作］
次に、角度可変部６０の詳細を座席装置１Ｃの動作と併せて説明する。他の座席装置１Ａ，１Ｂも同様な動作を行うため、ここではそれらの説明を省略する。
【００５２】
図６Ａ〜Ｃは、座席装置１Ｃの典型的な動作を示す主要部の側面図であり、Ａはアップライト状態、Ｂ及びＣはリクライニング状態をそれぞれ示している。
【００５３】
座席装置１Ｃがアップライト状態のとき、座枠３０は、図５に示すようにほぼ水平な状態で支持部１００（後側シャフト１１１及び前側シャフト１１２）に支持される。したがって、このときの座部１１の座面は、図２に示すように座クッション１１ｃの上面の初期角度に維持される。
【００５４】
次に、図示しない操作部を介して背凭れ部１２（背フレーム４０）を回動軸Ｓの周りに図６Ｂに示す第１の角度ａ１まで後方へリクライニングさせると、連動機構５０を介して座部１１（座枠３０）が後方へ変位する。このとき座枠３０の後端は、第１の可変機構６１によってローラ部材６１２の周面部６１２ａに沿って下方へ変位し、座枠３０の前端は、第２の可変機構６２によってガイド部材６２２の周面部６２２ａに沿って上方へ変位する。その結果、座枠３０は全体的に、図において水平状態から時計周りに角度ｂ１だけ回転した座姿勢をとる。
【００５５】
続いて、背凭れ部１２（背フレーム４０）を図６Ｃに示すように第１の角度ａ１よりも大きい第２の角度ａ２までリクライニングさせると、座部１１（座枠３０）はさらに後方へ変位しつつ、全体的に、水平状態から角度ｂ１より大きい角度ｂ２だけ回転した座姿勢をとる。
【００５６】
以上のように座枠３０の回転角度は、背フレーム４０のリクライニング角度に応じて変化する。また、リクライニング状態からアップライト状態へ背凭れ部１２を戻すと、座枠３０は上述と逆の向きに変位する。
【００５７】
本実施形態の座席装置１Ｃは、第２の可変機構６２は、座枠３０の前方側から後方側に向かって曲率が漸次大きくなるガイド部材６２２を含む第２の可変機構６２を有する。これにより背フレーム４０のリクライニング角度の変化に対して座枠３０の角度の変化率を変化させることができる。具体的には、背フレーム４０の後方へのリクライニング角度が大きくなるに従って、座枠３０の角度変化率は徐々に増加することになる。
【００５８】
したがって本実施形態によれば、リクライニング角度が大きくなるほど座面角度が大きくなるので、リクライニング角度に追従した適切な座面角度設定が可能となる。すなわちリクライニング角度が小さいときは座面の角度変化率を小さくし、リクライニング角度が大きくなるにつれて座面の角度変化率を大きくするといった座姿勢の最適なコントロールが可能となる。またアップライト状態では座面角度を小さくしておくことができるため、窮屈感がなく、これにより着座時の快適性を向上させることができる。
【００５９】
また本実施形態によれば、ガイド部材６２２の周面部６２２ａの形状によって、座枠３０前端の上昇の仕方をコントロールできるため、適正な座面角度を簡素な構造で実現することができる。
【００６０】
背凭れ部１２のリクライニング角度変化量は特に限定されず、例えばアップライト状態から３０°〜４０°の範囲で設定可能である。一方、座面の傾斜角度も適宜設定可能であるが、座り心地を維持する観点から、リクライニング角度に応じた最適な座面角度が設定されることが好ましい。一例を挙げると、背凭れの傾斜角度が１０°、１５°、２０°、２５°及び３７°のとき、座面角度がそれぞれ４°、６°、１０°、１４°及び２３°となるように、座枠３０の傾斜角度がそれぞれ設定される。本実施形態によれば、ガイド部材６２２の周面部６２２ａの形状によって上記座面角度を実現することができる。
【００６１】
以上のように本実施形態によれば、背凭れ部１２のリクライニング角度の変化に対して座部１１の角度の変化率を変化させることが可能な角度可変部６０を備えているため、リクライニング角度に適切な角度に座面を傾斜させることができる。
【００６２】
以上、本発明の実施形態について説明したが、本発明は上述の実施形態にのみ限定されるものではなく、本発明の要旨を逸脱しない範囲内において種々変更を加え得ることは勿論である。
【００６３】
例えば以上の実施形態では、三人掛け用の座席装置を例に挙げて説明したが、これに限られず、例えば二人掛け用又は一人掛け用の座席装置で構成されてもよい。また、車両用の座席装置に限られず、家庭用あるいは事務用の座席にも本発明は適用可能である。
【００６４】
また以上の実施形態では、第２の可変機構６２におけるガイド部材６２２の周面部６２２ａを上述の形状で形成することによって、座枠３０前端の上方変位量をコントロールするように構成された。これに加えて、第１の可変機構６１におけるローラ部材６１２の周面部６１２ａをもガイド部材６２２と同様に部分的に異なる曲率で形成することによって、座枠３０の傾斜角度を調整することも可能である。
【符号の説明】
【００６５】
１…シートユニット
１Ａ，１Ｂ，１Ｃ…座席装置
１１…座部
１２…背凭れ部
３０…座枠
４０…背フレーム
５０…連動機構
６０…角度可変部
６１…第１の可変機構
６２…第２の可変機構
１００…支持部
６１１，６２１…当接ブロック
６１２…ローラ部材
６２２…ガイド部材
【図１】
2015020517.tif 000003
【図２】
2015020517.tif 000004
【図３】
2015020517.tif 000005
【図４】
2015020517.tif 000006
【図５】
2015020517.tif 000007
【図６】
2015020517.tif 000008